(57)【要約】【課題】紙ガード装置を備えた取紙機構の提供。【解決手段】に上蓋、ローラーフレーム、紙ガード装置を含む。該上蓋内側には固持部を設置し、該ローラーフレームは側壁を備え、該紙ガード装置は該ローラーフレームの片側に設置する。該紙ガード装置は紙ガード部品と抵触接続ブロックを含み、該紙ガード部品は連接部を備え、該連接部は定位軸を備える。該定位軸の両端は該上蓋の固持部中に連接し、該紙ガード部品は該定位軸を巡り回転することができる。該連接部は下方へと延伸し紙ガードアームを形成し、該紙ガードアームは該ローラーフレームに近い片側の上端において、接触ガード部を形成し、下端には欠口を開設する。該抵触接続ブロックは該ローラーフレームの側壁上に突出設置し、該抵触接続ブロックは該紙ガードアームの接触ガード部に接触固定され、或いは該紙ガードアームの欠口中から貫通する。【選択図】図７
0003130855.tif 000002
【実用新案登録請求の範囲】
【請求項１】
上蓋、ローラーフレーム、紙ガード装置を含み、該上蓋内側には固持部を設置し、
該ローラーフレームは側壁を備え、
該紙ガード装置は該ローラーフレームの片側に設置し、該紙ガード装置は紙ガード部品と抵触接続ブロックを含み、該紙ガード部品は連接部を備え、該連接部は定位軸を備え、該定位軸の両端は該上蓋の固持部中に連接し、該紙ガード部品は該定位軸を巡り回転することができ、該連接部は下方へと延伸し紙ガードアームを形成し、該紙ガードアームは該ローラーフレームに近い片側の上端において接触ガード部を形成し、下端には欠口を開設し、該抵触接続ブロックは該ローラーフレームの側壁上に突出設置し、該抵触接続ブロックは該紙ガードアームの接触ガード部に接触固定され、或いは該紙ガードアームの欠口中から貫通することを特徴とする紙ガード装置を備えた取紙機構。
【請求項２】
請求項１記載の紙ガード装置を備えた取紙機構において、前記固持部は一対で、該固持部上には固持孔を開設し、該定位軸両端は該固持孔中に連接することを特徴とする紙ガード装置を備えた取紙機構。
【請求項３】
請求項１記載の紙ガード装置を備えた取紙機構において、前記連接部は上方へと延伸し位置限定アームを形成し、該上蓋内側には位置限定部を設置し、該位置限定アームが相互に対応する位置まで回転すると、該位置限定部により阻害され回転動を停止することを特徴とする紙ガード装置を備えた取紙機構。
【請求項４】
請求項３記載の紙ガード装置を備えた取紙機構において、前記位置限定部は該上蓋内側に突出設置し、該固持部の間に位置することを特徴とする紙ガード装置を備えた取紙機構。
【請求項５】
請求項１記載の紙ガード装置を備えた取紙機構において、前記取紙機構はさらに取紙ローラーと分紙ローラーを含み、該ローラーフレームの側壁は左側壁と右側壁を含み、該取紙ローラーと該分紙ローラーはそれぞれ平行で、該左側壁と該右側壁間に対応し組合されることを特徴とする紙ガード装置を備えた取紙機構。
【請求項６】
請求項５記載の紙ガード装置を備えた取紙機構において、前記分紙ローラーは長回転軸上に固設し、該長回転軸両端は該ローラーフレームの左側壁と右側壁をそれぞれ貫通することを特徴とする紙ガード装置を備えた取紙機構。
【請求項７】
請求項６記載の紙ガード装置を備えた取紙機構において、前記上蓋は該固持部下方において平行な一対の可動接続部を突出設置し、該可動接続部の間には収容空間を形成し、該ローラーフレームは該収容空間内に収容され、しかも該長回転軸両端は該可動接続部中にそれぞれ可動接続することを特徴とする紙ガード装置を備えた取紙機構。
【考案の詳細な説明】
【技術分野】
【０００１】
本考案は一種の紙ガード装置を備えた取紙機構に関する。特に一種の部品間の対応が簡易で、紙ガード機能を達成可能な紙ガード装置を備えた取紙機構に係る。
【背景技術】
【０００２】
現代オフィス事務の日常作業において、スキャナー、コピー機、或いはファックスマシーンなどの各種画像処理設備は欠くべからざる事務装置となっている。該事務装置は取紙機構を備え、紙を事務装置中に取り込み処理を行う。
例えば、公知のスキャナーの画像読み取りシステムの主な構造は、文書をガラス板上に置き、該ガラス板下方に配置する光学システムにより、文書の画像を読み取るものである。現在では自動文書進紙器の応用により、束になった数枚の文書を自動文書進紙器の進紙ボックス中にセットすると、該自動文書進紙器内部の取紙機構は文書を一枚ずつガラス板上方に輸送し、文書の画像読み取りを行うことができる。
上記公知のスキャナー中において、該取紙機構は紙ガード装置を含み、これにより進紙前に紙は適当な位置にあり、挿入が深くなり過ぎることを回避することができる。さらにこれにより紙の伝送がスムーズでなくなり、紙詰まりなどの現象が起きることを防止し、同時に挿入が浅過ぎ、取紙ローラーが紙を伝送できなくなる恐れもなくなる。
【０００３】
図１、２に示すように、公知の紙ガード装置を備えた取紙機構の取紙機構１’は予取紙ローラー１０’、 取紙ローラー２０’、 定位部品３０’、 ガード片４０’を含む。
該予取紙ローラー１０’と該取紙ローラー２０’はローラーフレーム５０’により連接され、該定位部品３０’は該取紙ローラー２０’の外部に嵌設し固接する。該ガード片４０’は該ローラーフレーム５０’に固接し、該予取紙ローラー１０’に従い回転動する。
取紙前は、該ガード片４０’の抵触ブロック４１’は該定位部品３０’のガードブロック３１’に抵触し、該ガード片４０’は外側においてガードし、該予取紙ローラー１０’と該紙２’は接触しない。
図２に示すように、取紙時には、該ローラーフレーム５０’は該予取紙ローラー１０’を連動し下方へと運動させ、該ガード片４０’はこれに従い回転動する。該抵触ブロック４１’は該ガードブロック３１’を接触圧迫し、該定位部品３０’を押し回転動させる。こうして該ガード片４０’と該定位部品３０’の抵触固定は消失し、この時、該予取紙ローラー１０’と該紙２’は接触し、該予取紙ローラー１０’の回転動により、該紙２’はスキャナーに取り込まれる。
【０００４】
上記公知の取紙機構１’は取紙時に、紙ガード装置の抵触ブロック４１’により該ガードブロック３１’を圧迫し、該定位部品３０’を押し回転動させるため、該ガード片４０’と該定位部品３０’の抵触固定は消失し、該紙２’はスキャナーに取り込まれる。
しかし、該抵触ブロック４１’と該ガードブロック３１’の抵触圧迫は容易に失効するため、該抵触ブロック４１’は該定位部品３０’を押し回転動させることができず、該紙２’が該取紙機構１’に取り込まれず、該取紙機構１’全体が正常に作動しない状況も容易に起こり得る。
【考案の開示】
【考案が解決しようとする課題】
【０００５】
本考案は紙ガード装置を備えた取紙機構を提供し、上蓋、ローラーフレーム、紙ガード装置を含み、該上蓋内側には固持部を設置し、該ローラーフレームは側壁を備え、該紙ガード装置は該ローラーフレームの片側に設置し、
該紙ガード装置は紙ガード部品と抵触接続ブロックを含み、該紙ガード部品は連接部を備え、該連接部は定位軸を備え、該定位軸の両端は該上蓋の固持部中に連接し、該紙ガード部品は該定位軸を巡り回転することができ、該連接部は下方へと延伸し紙ガードアームを形成し、該紙ガードアームは該ローラーフレームに近い片側の上端において、接触ガード部を形成し、下端には欠口を開設し、該抵触接続ブロックは該ローラーフレームの側壁上に突出設置し、該抵触接続ブロックは該紙ガードアームの接触ガード部に接触固定され、或いは該紙ガードアームの欠口中から貫通する紙ガード装置を備えた取紙機構を提供する。
【０００６】
上記のように、本考案紙ガード装置を備えた取紙機構は紙ガード部品と抵触接続ブロックの接触対応を採用することで、紙ガード効果を達成し、取紙時には抵触接続ブロックは該紙ガード部品の欠口中から貫通し、該紙ガード部品と該抵触接続ブロックは接触固定対応する必要がないため、該紙ガード部品と該抵触接続ブロックの対応は容易で、取紙がスムーズとなり、取紙機構全体の作業も正常となる。
【課題を解決するための手段】
【０００７】
請求項１の考案は、上蓋、ローラーフレーム、紙ガード装置を含み、該上蓋内側には固持部を設置し、
該ローラーフレームは側壁を備え、
該紙ガード装置は該ローラーフレームの片側に設置し、該紙ガード装置は紙ガード部品と抵触接続ブロックを含み、該紙ガード部品は連接部を備え、該連接部は定位軸を備え、該定位軸の両端は該上蓋の固持部中に連接し、該紙ガード部品は該定位軸を巡り回転することができ、該連接部は下方へと延伸し紙ガードアームを形成し、該紙ガードアームは該ローラーフレームに近い片側の上端において接触ガード部を形成し、下端には欠口を開設し、該抵触接続ブロックは該ローラーフレームの側壁上に突出設置し、該抵触接続ブロックは該紙ガードアームの接触ガード部に接触固定され、或いは該紙ガードアームの欠口中から貫通することを特徴とする紙ガード装置を備えた取紙機構としている。
請求項２の考案は、請求項１記載の紙ガード装置を備えた取紙機構において、前記固持部は一対で、該固持部上には固持孔を開設し、該定位軸両端は該固持孔中に連接することを特徴とする紙ガード装置を備えた取紙機構としている。
請求項３の考案は、請求項１記載の紙ガード装置を備えた取紙機構において、前記連接部は上方へと延伸し位置限定アームを形成し、該上蓋内側には位置限定部を設置し、該位置限定アームが相互に対応する位置まで回転すると、該位置限定部により阻害され回転動を停止することを特徴とする紙ガード装置を備えた取紙機構としている。
請求項４の考案は、請求項３記載の紙ガード装置を備えた取紙機構において、前記位置限定部は該上蓋内側に突出設置し、該固持部の間に位置することを特徴とする紙ガード装置を備えた取紙機構としている。
請求項５の考案は、請求項１記載の紙ガード装置を備えた取紙機構において、前記取紙機構はさらに取紙ローラーと分紙ローラーを含み、該ローラーフレームの側壁は左側壁と右側壁を含み、該取紙ローラーと該分紙ローラーはそれぞれ平行で、該左側壁と該右側壁間に対応し組合されることを特徴とする紙ガード装置を備えた取紙機構としている。
請求項６の考案は、請求項５記載の紙ガード装置を備えた取紙機構において、前記分紙ローラーは長回転軸上に固設し、該長回転軸両端は該ローラーフレームの左側壁と右側壁をそれぞれ貫通することを特徴とする紙ガード装置を備えた取紙機構としている。
請求項７の考案は、請求項６記載の紙ガード装置を備えた取紙機構において、前記上蓋は該固持部下方において平行な一対の可動接続部を突出設置し、該可動接続部の間には収容空間を形成し、該ローラーフレームは該収容空間内に収容され、しかも該長回転軸両端は該可動接続部中にそれぞれ可動接続することを特徴とする紙ガード装置を備えた取紙機構としている。
【考案の効果】
【０００８】
本考案紙ガード装置を備えた取紙機構は紙ガード部品と抵触接続ブロックの接触対応を採用することで紙ガード効果を達成し、取紙時には抵触接続ブロックは該紙ガード部品の欠口中から貫通し、該紙ガード部品と該抵触接続ブロックは接触固定対応する必要がないため、該紙ガード部品と該抵触接続ブロックの対応は容易で、取紙がスムーズとなり、取紙機構全体の作業も正常となる。
【考案を実施するための最良の形態】
【０００９】
図３に示すように、本考案紙ガード装置を備える取紙機構１は上蓋１０、取紙ローラー２０、分紙ローラー３０、ローラーフレーム４０、底壁５０、紙ガード装置６０を含む。
図４に合わせて示すように、該上蓋１０内側には相互に平行で板状を呈する一対の固持部１１を突出設置する。該固持部１１上には固持孔１１１を開設し、該２個の固持部１１の間には板状の位置限定部１２を突出設置する。該上蓋１０が該固持部１１下方において一対の平行な可動接続部１３を突出設置し、該２個の可動接続部１３間には収容空間１４を形成する。
さらに図５に合わせて示すように、該ローラーフレーム４０は側壁を備え、該側壁は左側壁４１と右側壁４２を含む。該左側壁４１と該右側壁４２上には相互に平行な長回転軸４３と短回転軸４４を対応設置する。該長回転軸４３上には分紙ローラー３０を固設し、該短回転軸４４上には取紙ローラー２０を固設する。ベルト２１は該取紙ローラー２０及び該分紙ローラー３０上に同時に嵌設し、これにより該取紙ローラー２０及び該分紙ローラー３０は共に内部に向かい該ローラーフレーム４０を圧迫する。
【００１０】
次に図３、６に示すように、該紙ガード装置６０は紙ガード部品６１と抵触接続ブロック６２を含む。該紙ガード部品６１は連接部６１１を備え、該連接部６１１の相対する両側のおよそ中央部は外側に向かい２個の定位軸６１２を突出形成する。該連接部６１１の前短は上向きに延伸し位置限定アーム６１３を形成し、該位置限定アーム６１３は該上蓋１０の位置限定部１２において阻害する。該連接部６１１の後端は下方に向かい延伸し紙ガードアーム６１４を形成し、該紙ガードアーム６１４は該左側壁４１に近い片側の上端において接触ガード部６１５を形成し、下端には該紙ガードアーム６１４底端を貫通する方形欠口６１６を開設する。該抵触接続ブロック６２は該ローラーフレーム４０の左側壁４１上に突出設置、或いは固接し、円柱状を呈する。
【００１１】
図３〜６に示すように、組み立て時には、該ベルト２１は該短回転軸４４の取紙ローラー２０と該長回転軸４３に固設する分紙ローラー43上に同時に嵌設し、さらに該長回転軸４３と該短回転軸４４両端を該ローラーフレーム４０の左側壁４１と右側壁４２中にそれぞれ嵌設する。次に、該ローラーフレーム４０を該上蓋１０の収容空間１４中に収容し、しかも該長回転軸４３は該上蓋１０の可動接続部１３中に可動接続する。該紙ガード装置６０は該ローラーフレーム４０の片側に設置し、該左側壁４１に近接し、該２個の定位軸６１２は該上蓋１０の２個の固持孔１１１中に連接する。該紙ガード部品６１は該定位軸６１２を巡り回転動し、該抵触接続ブロック６２は該紙ガード部品６１の紙ガードアーム６１４の上端に接触固定する。最後に該上蓋１０を該底壁５０上に蓋合し、本考案紙ガード装置を備える取紙機構１の組み立てを完成する。
【００１２】
次に図７に示すように、該取紙機構１が未取紙であるとき、該取紙ローラー２０は紙２の上方に位置し、該紙２と一定の距離を隔て、該紙２は該紙ガードアーム６１４により該取紙機構１外へと阻害される。この時、該紙ガード部品６１は自然垂直状態を呈し、該紙ガードアーム６１４の接触ガード部６１５は該抵触接続ブロック６２により阻害され、時計回りの回転を行うことができず、該位置限定アーム６１３は該位置限定部１２により阻害され、逆時計回りの回転を行うことができない。
【００１３】
続いて図８、９に示すように、該取紙機構１が進紙信号を探知すると、モーター（図示なし）は該長回転軸４３の時計回りの回転を駆動し、該長回転軸４３上に固設する分紙ローラー３０もまたこれに従い時計回りの回転を行う。該分紙ローラー３０と該ベルト２１の間には摩擦力が発生し、こうして該ベルト２１の時計回りの回転を連動する。また、該ベルト２１と該取紙ローラー２０間には摩擦力を生じるため、該取紙ローラー２０の時計回りの回転を連動する。該取紙ローラー２０と該分紙ローラー３０は共に内側に向かい該ローラーフレーム４０を圧迫固定するため、両者は該ローラーフレーム４０との間に摩擦力を生じ、こうして該ローラーフレーム４０は該長回転軸４３を巡り下方へと回転動し、該取紙ローラー２０は該紙２を圧迫する。同時に、該ローラーフレーム４０は下方へと回転動するため、該左側壁４１上に設置する抵触接続ブロック６２もまたこれに従い下方へと移動し、該紙ガード部品６１の欠口６１６を貫通し（図６参照）、該紙ガードアーム６１４の前方に位置する。よって、該抵触接続ブロック６２と該紙ガードアーム６１４の接触ガード部６１５間は接触対応しなくなる。この時、該ベルト２１は該紙２を押さえ、時計回りに回転するため、該ベルト２１と該紙２の間には摩擦力を生じ、該紙２を該取紙機構１内に取り込み、該紙２の押動において、該紙ガードアーム６１４は該定位軸６１２を巡り時計回りに、後方へと該紙ガードアーム６１４の底端の該紙２上まで回転する。こうして、該紙２は阻害するものがない状態で、該分紙ローラー３０を経過し、該取紙機構１中に進入する。
【００１４】
反対に、該取紙機構１が取紙を停止すると、モーターは瞬間的に反対回転し、該長回転軸４３を駆動し瞬間的に逆時計回りに回転する。こうして該分紙ローラー３０は逆時計回りに回転し、該ベルト２１を連動し逆時計回りの回転を行い、該ベルト２１もまた該取紙ローラー２０の逆時計回りの回転を連動する。該長回転軸４３と該短回転軸４４は共に内側へと該ローラーフレーム４０を圧迫するため、該分紙ローラー３０と該取紙ローラー２０が逆時計回りに回転する時、該ローラーフレーム４０との間に摩擦力を生じ、こうして該ローラーフレーム４０を連動し、該長回転軸４３を巡り逆時計回りに上方へと回転させる。すなわち、該取紙ローラー２０と該紙２は分離し、該紙２上方において一定の距離を隔て、該紙ガードアーム６１４は自身の重力作用で該定位軸６１２を巡り逆時計回りに回転する。この過程において、該抵触接続ブロック６２は該紙ガードアーム６１４の前方より該欠口６１６を貫通し（図６参照）、該紙ガードアーム６１４の後方に位置し、該接触ガード部６１５においてガードする。該位置限定アーム６１３は該上蓋１０の位置限定部１２においてガードする（図８参照）。この時、該紙ガード部品６１は自然に垂直状態を呈し、該紙２は該紙ガードアーム６１４により該取紙機構１外へと阻害される。
【図面の簡単な説明】
【００１５】
【図１】公知の取紙機構の作動概略図である。
【図２】公知の取紙機構の作動概略図である。
【図３】本考案の紙ガード装置を備えた取紙機構の立体分解図である。
【図４】図３の符号IV部分の局部拡大図である。
【図５】図３の取紙機構のローラーとベルトをローラーフレームに組み合わせる様子の立体図である。
【図６】図３の取紙機構の紙ガード部品の立体図である。
【図７】本考案の紙ガード装置を備える取紙機構の紙ガードと取紙の作動過程概略図である。
【図８】本考案の紙ガード装置を備える取紙機構の紙ガードと取紙の作動過程概略図である。
【図９】本考案の紙ガード装置を備える取紙機構の紙ガードと取紙の作動過程概略図である。
【符号の説明】
【００１６】
１  紙ガード装置を備える取紙機構
１０  上蓋
１１  固持部
１１１  固持
１２  位置限定部
１３  可動接続部
１４  収容空間
２０  取紙ローラー
２１  ベルト
３０  分紙ローラー
４０  ローラーフレーム
４１  左側壁
４２  右側壁
４３  長回転軸
４４  短回転軸
５０  底壁
６０  紙ガード装置
６１  紙ガード部品
６１１  連接部
６１２  定位軸
６１３  位置限定アーム
６１４  紙ガードアーム
６１５  接触ガード部
６１６  欠口
６２  抵触接続ブロック
２  紙
１’   取紙機構
１０’  予取紙ローラー
２０’   取紙ローラー
３０’  定位部品
３１’  ガードブロック
４０’  ガード片
４１’  抵触ブロック
５０’  ローラーフレーム
【図１】
0003130855.tif 000003
【図２】
0003130855.tif 000004
【図３】
0003130855.tif 000005
【図４】
0003130855.tif 000006
【図５】
0003130855.tif 000007
【図６】
0003130855.tif 000008
【図７】
0003130855.tif 000009
【図８】
0003130855.tif 000010
【図９】
0003130855.tif 000011